(57)【要約】【課題】接着剤槽中の接着剤の量の検知は、接着剤の量が所定レベル以下になったことを検知するこよにとり行われており、量の変化を多段階で、または、連続的に検知することが困難であり、このために、小型化された塗布装置においては、接着剤消費量の多少により接着剤槽中の液面が変化し、均一な塗布が困難になる。【解決手段】冊子を構成する用紙束の情報に基づいて適正補給割合を計算し、用紙束に対応した接着剤の補給を行う。補給割合に関する情報は、画像形成装置、製本装置間の通信により伝送される。【選択図】図１１
2008055674.tif 000002
【特許請求の範囲】
【請求項１】
画像形成装置及び製本装置を有し、該両装置は、両装置間の情報の伝達を行う通信手段を有する製本システムにおいて、
前記製本装置は、接着剤を用紙束に塗布する塗布装置、接着剤を前記塗布装置に補給する補給装置及び該補給装置を制御する制御手段を有し、該制御手段は、前記通信手段を介して伝送される情報に基づいて、前記補給装置による接着剤の補給割合を制御することを特徴とする製本システム。
【請求項２】
前記情報は、用紙束を構成する用紙の枚数の情報含むことを特徴とする請求項１に記載の製本システム。
【請求項３】
前記情報は、少なくとも用紙束を構成する用紙の厚さ、用紙の種類及び用紙サイズの情報の一つを含むことを特徴とする請求項１または請求項２に記載の製本システム。
【請求項４】
前記塗布装置に補給される接着剤はペレット状の固体であり、前記製本装置は前記補給装置により補給されるペレットの量を検知する補給センサを有し、前記制御手段は、前記補給センサの信号に基づいて、前記補給装置を制御することを特徴とする請求項１〜３のいずれか１項に記載の製本システム。
【請求項５】
前記製本装置は、用紙束の厚さを検知する用紙束センサを有し、該用紙束センサは前記用紙束の情報を出力することを特徴とする請求項１〜４のいずれか１項に記載の製本システム。
【請求項６】
前記製本装置が製本装置制御部を有し、該製本装置制御部は、前記画像形成装置から伝送された用紙束の情報に基づいて、前記補給割合を決定することを特徴とする請求項１〜５のいずれか１項に記載の製本システム。
【請求項７】
前記画像形成装置が画像形成装置制御部を有し、該画像形成装置制御部は、用紙束の情報に基づいて補給割合を決定することを特徴とする請求項１〜５のいずれか１項に記載の製本システム。
【発明の詳細な説明】
【技術分野】
【０００１】
本発明は、画像形成装置と製本装置が連結され印刷から製本までを１工程で実行し冊子を作成する製本システムに関する。
【背景技術】
【０００２】
電子写真画像形成装置等の高速画像形成装置と製本装置を連結し、画像形成から製本までを１工程で実行する製本システムが普及している。
【０００３】
このような製本システムは、印刷工程と製本工程とが別工程で実行される従来の一般的な本製造工程に対して、印刷速度、製本速度自体は低いが、印刷内容を随時変更できるという利点を有し、総合的に高効率の製本システムであり、ＰＯＤ（ＰＩＲＩＮＴ  ＯＮ  ＤＥＭＡＮＤ）システムとして、利用されている。
【０００４】
ＰＯＤシステムは、画像形成装置と製本装置とが連結されているということと、印刷・製本のための工場に設置されるのではなく、オフィスあるいはオフィスと同一建物内に設置される場合が多いことから、小型である必要があり、システムを構成する各部も小型であることが要求される。
【０００５】
したがって製本装置としても、工程が比較的単純な糊付け処理により用紙を束ね冊子を作成するものが用いられる。
【０００６】
接着剤としては、ホットメルト接着剤が用いられ、塗布による消費に応じて、接着剤のペレットを少量ずつ補給することにより製本作業が連続して行われる。
特許文献１、２では、用紙束の背に沿って塗布ローラを移動させることにより、接着剤を用紙束に塗布し、塗布ローラが浸漬している溶融接着剤槽に接着剤のペレットを数個単位の少量ずつ定量補給する補給装置が開示されている。
【特許文献１】特開２００４−２０９７４６号公報
【特許文献２】特開２００４−２７６４５７号公報
【発明の開示】
【発明が解決しようとする課題】
【０００７】
塗布ローラ及び塗布液槽で構成される塗布装置を用紙束の背に沿って移動させることにより接着剤の塗布を行う塗布機構では、塗布装置の容積に制限があるために槽の容量が制限されることになる。
このために、塗布で消費される液量の減少による槽内の液面の下降量が大きくなって、塗布を均一にするには、液面の上下移動量を抑える手段が必要になる。
特許文献１では、槽内の接着剤の量が少なくなったときに、定量のペレットを供給しており、これによって、接着剤の液面を一定に維持している。
しかしながら、特許文献１の接着剤補給方法によっては接着剤液面の上下移動があって、均一な塗布を行うことが困難である。これは次のような理由による。
【０００８】
これを、図１を用いて説明する。
【０００９】
溶融接着剤の液面ＬＳは温度を検知する接着剤量センサＴＳを用い、図１（ａ）から図１（ｂ）または図１（ｃ）のように、液面ＬＳが低下したことにより接着剤量センサＴＳが液面ＬＳから離れたときに、接着剤量センサＴＳの検知温度が低下して、液面ＬＳの低下が検知される。
【００１０】
液面ＬＳは、接着剤槽ＢＴの容積が小さい場合に、接着剤槽ＢＴ中の接着剤の量に対する塗布ローラＲＬにより汲み上げられる接着剤の量の割合が大きいために液面ＬＳの変動が大きく、塗布する用紙束の厚さが異なる場合に、１回の塗布工程により図１（ａ）の状態から図１（ｂ）の状態に変化する場合と、図１（ｃ）の状態に変化する場合とが生ずる。
【００１１】
なお図示のように、塗布ローラが矢印のように回転する場合、接着剤の液面ＬＳは液の粘性により塗布ローラＲＬの回転方向下流側で高くなるが、下流側の液面が安定しており、下流側で検知するすることにより、接着剤槽ＢＴ中の接着剤量を正確に検知できる。
【００１２】
接着剤量センサＴＳは、図１（ａ）から図１（ｂ）に変化したこと及び図１（ａ）から図１（ｃ）に変化したことを検知するのみで、図１（ｂ）と図１（ｃ）とを弁別することができない。すなわち、接着剤量センサＴＳはオン／オフ検知を行うのみで、液面の低下量を検知するこができない。
したがって、図１のようなセンサＴＳの検知信号を用いた接着剤の補給を行った場合、接着剤の消費割合の違いによって、接着剤の液面が上下移動して、均一な塗布が困難になる。
複数のセンサを用いれば、液面の多段階の検知が可能であるが、コストやセンサの設置スペースの面で問題があり、検知精度を上げる場合に問題はさらに顕著になる。
本発明は、塗布装置への接着剤の補給におけるこのような問題を解決することを目的とし、均一な塗布が可能であり、安定した品質の冊子を作成する製本システムを提供することを目的とする。
【課題を解決するための手段】
【００１３】
前記目的は下記の発明により達成される。
１．
画像形成装置及び製本装置を有し、該両装置は、両装置間の情報の伝達を行う通信手段を有する製本システムにおいて、
前記製本装置は、接着剤を用紙束に塗布する塗布装置、接着剤を前記塗布装置に補給する補給装置及び該補給装置を制御する制御手段を有し、該制御手段は、前記通信手段を介して伝送される情報に基づいて、前記補給装置による接着剤の補給割合を制御することを特徴とする製本システム。
２．
前記情報は、用紙束を構成する用紙の枚数の情報含むことを特徴とする前記１に記載の製本システム。
３．
前記情報は、少なくとも用紙束を構成する用紙の厚さ、用紙の種類及び用紙サイズの情報の一つを含むことを特徴とする前記１または前記２に記載の製本システム。
４．
前記塗布装置に補給される接着剤はペレット状の固体であり、前記製本装置は前記補給装置により補給されるペレットの量を検知する補給センサを有し、前記制御手段は、前記補給センサの信号に基づいて、前記補給装置を制御することを特徴とする前記１〜３のいずれか１項に記載の製本システム。
５．
前記製本装置は、用紙束の厚さを検知する用紙束センサを有し、該用紙束センサは前記用紙束の情報を出力することを特徴とする前記１〜４のいずれか１項に記載の製本システム。
６．
前記製本装置が製本装置制御部を有し、該製本装置制御部は、前記画像形成装置から伝送された用紙束の情報に基づいて、前記補給割合を決定することを特徴とする前記１〜５のいずれか１項に記載の製本システム。
７．
前記画像形成装置が画像形成装置制御部を有し、該画像形成装置制御部は、用紙束の情報に基づいて補給割合を決定することを特徴とする前記１〜５のいずれか１項に記載の製本システム。
【発明の効果】
【００１４】
本発明では、冊子を構成する用紙束の情報に基づいて、接着剤の適正量を補給するので、小型化された塗布装置においても、常に均一な接着剤の塗布が行われ、高い接着強度を持ち、高品質の冊子を作成する製本装置が実現される。
【発明を実施するための最良の形態】
【００１５】
図２は本発明の実施の形態に係る製本システムの全体を示す図である。
【００１６】
製本システムは画像形成装置Ａ及び製本装置Ｂを有する。
【００１７】
画像形成装置Ａは電子写真方式により用紙に画像を形成するものであり、画像形成部Ａ１、原稿搬送装置Ａ２及び画像読取部Ａ３を有する。
【００１８】
画像形成部Ａ１において、ドラム状の感光体１の周囲に帯電装置２、露光装置３、現像装置４、転写装置５Ａ、分離装置５Ｂ及びクリーニング装置６が配置され、これらの電子写真プロセス装置により、帯電、露光、現像及び転写が行われて感光体１上にトナー像が形成され、用紙Ｓ１に画像が形成される。
【００１９】
用紙Ｓ１は３個の給紙トレイ７Ａに収納されており、これらの給紙トレイ７Ａから用紙Ｓ１が１枚ずつ給紙され、転写装置５Ａにより、感光体１上のトナー像が用紙Ｓ１に転写される。
【００２０】
用紙Ｓ１に転写されたトナー像が定着装置８を通過して定着処理される。定着処理された用紙Ｓ１は、排紙ローラ７Ｃから排紙されるか又は再給紙路７Ｅに搬送される。
【００２１】
片面プリントにおけるフェースダウン排紙、片面プリントにおけるフェースアップ排紙又は両面画像形成における表面画像形成において、切り替えゲート７Ｄが用紙Ｓ１を切り替え案内する。即ち、フェースアップ排紙においては、切り替えゲート７Ｄは用紙Ｓ１を直進させ、フェースダウン排紙及び両面画像形成においては、切り替えゲート７Ｄは用紙Ｓ１を下方に案内する。
【００２２】
フェースダウン排紙においては、用紙Ｓ１は下方に案内された後に、スイッチバックして上方に搬送され、排紙ローラ７Ｃから排紙される。
【００２３】
両面画像形成においては、用紙Ｓ１は下方に案内され、スイッチバックによる表裏反転後に再給紙路７Ｅを経て、転写装置５Ａが配置された転写部に再給紙され、裏面画像の転写が行われる。
【００２４】
原稿搬送装置Ａ２は原稿を１枚ずつ読取位置に搬送する。画像読取部Ａ３は原稿搬送装置Ａ２により搬送された原稿又は原稿台９に載置された原稿の画像を読み取って、画像信号を生成する。
【００２５】
製本装置Ｂは画像形成装置Ａから送り込まれた本構成用紙を複数枚束ねて本構成用紙の束を構成し、該束に表紙用紙を接合して本を形成する装置である。以下の説明において、本構成用紙を用紙Ｓ１と言い、表紙用紙を表紙Ｓ２と言い、本構成用紙に表紙用紙が接合されたものを冊子Ｓ３と言う。
【００２６】
製本装置Ｂは、画像形成装置Ａから排出された用紙Ｓ１を排紙皿２０又は用紙反転部４０に搬送する搬送部１０、排紙皿２０、用紙反転部４０、１枚ずつ又は数枚ずつ送りこまれた用紙Ｓ１を集積する集積部５０、塗布手段６０、表紙Ｓ２を収納する表紙収納部８０、表紙を支持する表紙支持部９０及び本排出部１００を有する。
【００２７】
画像形成装置Ａから排出された用紙Ｓ１は搬送部１０に設けられた切り替えゲート１１により排出路１２を経て排紙皿２０に排出されるか又は用紙反転部４０に搬送される。排紙皿２０には、製本処理モードでない場合に用紙Ｓ１が排出される。
【００２８】
製本モードにおいては、用紙Ｓ１は搬送路１３を経て用紙反転部４０に搬送され、用紙反転部４０においてスイッチバックした後に、集積部５０に搬送される。集積部５０においては、設定された枚数の用紙Ｓ１が集積され、集積部５０は設定枚数が集積した段階で回転して、用紙Ｓ１の束をほぼ垂直状態で保持する。
【００２９】
垂直状態で集積部５０により保持された用紙Ｓ１の束の下面に、塗布装置６０により接着剤が塗布される。
【００３０】
接着剤が塗布された用紙Ｓ１の束に表紙Ｓ２が接触し、接着される。
【００３１】
用紙Ｓ１の束に表紙Ｓ２が接着されて作成された冊子Ｓ３は本排出部１００に排出される。
【００３２】
図３は塗布工程を示す図である。
【００３３】
塗布装置６０は用紙Ｓ１の束の下方に配置され、モータＭＴ１の駆動による矢印Ｗ２で示す往動時に、塗布ローラ６０２が用紙束ＳＳの背ＳＡに接着剤ＡＤを塗布し、矢印Ｗ３で示す復動時に、塗布ローラ０２が背ＳＡに接着剤ＡＤを塗布する。
【００３４】
塗布装置６０のホームポジションは図３の左端位置であり、図１の製本装置の正面から見て奥側に位置しており、該ホームポジションにおいて、補給装置６１から接着剤のペレットが補給される。塗布ローラ６０２は往動時及び復動時にモータＭＴ２の駆動で矢印Ｗ１で示す方向に回転して、接着剤槽６０１から接着剤を汲み上げ、用紙束ＳＳの背ＳＡに塗布する。
【００３５】
図４は塗布装置６０の構成を示す図である。
【００３６】
塗布装置６０は接着剤ＡＤを収容する接着剤槽６０１、塗布ローラ６０２及び規制部材６０３、６０４、ヒータ６０５及び接着剤量センサ６０６を有する。
【００３７】
接着剤槽６０１内のペレットはヒータ６０５で加熱され、溶融し、接着剤ＡＤの塗布液が形成されるが、接着剤ＡＤの量は、温度センサからなる接着剤量センサ６０６により検知され、液面が一定に維持される。規制部材６０４は板状の支持部材６０７により支持され、その下端エッジ６０４Ｂで塗布ローラ６０２上の接着剤の層厚を規制し、上端エッジ６０４Ａで用紙束の背ＳＡ上の接着剤の層厚を規制する。
【００３８】
接着剤槽６０１は点線で示す待機状態から実線で示す塗布状態に軸６０１Ａを中心に回転して設定され、
接着剤量センサ６０６はサーミスタからなる温度検知素子を有し、接着剤量センサ６０６が接着剤ＡＤの液に浸漬しているときは、検知温度が高く、液面が低下して接着剤量センサ６０６が液面から離れると検知温度が低下する。この温度低下を検知することにより接着剤量が所定値以下になったことが検知される。
【００３９】
接着剤量の減少検知信号が出ると、補給装置６１からの接着剤の補給が行われる。
【００４０】
接着剤のペレットを補給する補給装置６１を図５〜図８により説明する。
【００４１】
図５は補給装置６１の断面図、図６は作動を開始する前の補給装置６１の要部を示し、図７は補給中における補給装置６１の要部を示す。図８は補給装置６１における駆動系を示す図である。
【００４２】
補給装置６１は接着剤のペレットＰＴを収容するペレット収納部としてのホッパ６２及びペレットＰＴが落下する補給管６３で構成され、ホッパ６２を構成する枠６２Ａは、以下に説明する諸部品を支持する。
【００４３】
補給装置６１は図５に示す状態、即ち、ホッパ６２及び補給管６３が左下がりに傾斜した状態で、製本装置Ｂに組み付けられており、ペレットＰＴは枠６２Ａの底面及び補給管６３の底面に沿って落下し、塗布装置６０に補給される。
【００４４】
ホッパ６２の下部には、ペレットＰＴを搬送するベルト６６３がローラ６６４、６６６、６６７、６６９及び６７３に張架されている。ローラ６６６は駆動ローラであり、補給手段を構成するモータＭＴ３により駆動されて反時計方向に回転する。
【００４５】
補給手段を構成するベルト６６３は拡大図５Ａに示すように外周面に凹凸が形成され、この凹凸面により、パレットＰＴを確実に搬送するとともに、ペレットＰＴとの接触面積を小さくして、ペレットＰＴのベルト６６３への接着を防止している。４個の押圧ローラ６７０はベルト６６３をバネの付勢で枠６２Ａに押圧することにより、枠６２Ａとベルト６６３との間隔を所定の限度より拡大しないように制限しており、これによりベルト６６３によるペレットＰＴの搬送割合をほぼ一定に制御している。
【００４６】
ローラ６６４、６６６はローラ６６６の回転軸６６６Ａを中心に揺動可能な支持板６６２により支持されており、支持板６６２は引っ張り型のバネ６６５により時計方向に付勢されている。これにより、ベルト６６３には、バネ６６５により付勢されたローラ６６４により一定の張力が付与される。
【００４７】
ローラ６６７、６６９はローラ６６７の回転軸を中心に揺動可能な支持板６７１により支持されている。
【００４８】
補給装置６１は、作動を開始する前の停止状態では図６に示すとおりであり、ローラ６６９はペレットＰＴの排出口を狭くしており、パレットＰＴはローラ６６９により支持されたベルト６６３により図６に示すようにブロックされてホッパ６２にとどまっている。
【００４９】
補給装置６１が作動を開始すると、ローラ６６９が図７のように、左方に移動して、バルト６６３が後退し、ホッパ６２のペレット排出口を広くする。これによって、ペレットＰＴが排出口まで落下し、落下したペレットＰＴはベルト６６３の搬送作用で、枠６２Ａの底面に沿って落下する。
【００５０】
補給装置６１が補給動作を行う間、ローラ６６９は図６に示すの位置と、図７に示す位置とを往復し、この往復動作により、パレットＰＴが少量ずつ制御された割合で落下し、塗布装置６０に補給される。
【００５１】
ローラ６６９を往復移動させる駆動機構を図８により説明する。
【００５２】
ローラ６６６の軸６６６Ａにはローラ６６６と一体に回転する支持板６７５が固定されており、支持板６７５の一端に設けられたピン６７７にはリンク６７６が回転可能に支持されている。
【００５３】
ローラ６６９の軸６６９Ａは、リンク６７６に設けられた長孔６７６Ａに嵌入している。
【００５４】
ローラ６６９の軸６６９Ａは引っ張り型のバネ６６８により図８の右方に付勢されている。従って、ローラ６６９はベルト６６３の張力とバネ６６８の付勢力とにより、所定の位置に保持される。
【００５５】
ローラ６６６の回転により支持板６７５は回転するが、支持板６７５の回転により、リンク６７６の右端位置が図７の左右方向に移動し、この移動によりローラ６６９の位置が左右に移動して、ホッパ６２のペレット排出口が図６の状態と図７の状態のように、縮小／拡大する。
【００５６】
この縮小／拡大が補給動作中繰り返され、パレットＰＴが少数個ずつ制御された割合で、塗布装置６０に補給される。
【００５７】
図５に戻って、ＦＳはホッパ６２から落下するペレットＰＴを検知する補給センサであり、発光素子ＦＳ１と受光素子ＦＳ２かなる。補給センサＦＳにより、塗布装置６０に補給されるペレットＰＴの数が検知される。補給センサＦＳによるペレットＰＴのカウント数は、補給されるペレットＰＴの数に比例する。
【００５８】
前記に説明したように、接着剤ＡＤの液面の低下を検知し、検知信号に基づいて接着剤のペレットＰＴの補給が行われるが、ペレットＰＴの補給における補給割合について、図９を用いて説明する。図９は用紙束ＳＳを構成する用紙Ｓ１の枚数に対して、適正な接着を行うための補給割合を示す。
【００５９】
図９において、横軸は用紙束ＳＳを構成する用紙Ｓ１の枚数Ｐ、縦軸は補給されるペレットＰＴの補給センサＦＳによるカウント数Ｎであり、図４の塗布装置を用いて塗布実験を行って得られた結果である。
【００６０】
なお、図９では横軸を枚数としているが、理論的には、塗布により消費される接着剤の量であり、消費される接着剤の量は、主に、用紙枚数と用紙１枚の厚さとにより決定される用紙束ＳＳの厚さ及び用紙サイズに対応する。この他にコート紙、非コート紙等の紙種によっても消費量が変わる。
【００６１】
直線Ｌ１は次の式１により表される。
【００６２】
適正割合Ｎ＝１０＋０．０１９Ｐ・・・・・式１
なお、補給センサＦＳのカウントは必ずしも補給ペレット数に等しくはなく、実験例では、補給センサＦＳの１カウントが平均２．５個のペレットに対応した。
【００６３】
なお、実際の制御においては、折れ線Ｌ２で示すように、小数点以下を切り捨てたペレット個数が適正補給量として制御に用いられる。制御手段（後に説明）は接着剤量センサ６０６（図４に示す）が液面低下を検知した信号を受け取って、用紙枚数に対応した補給量に対応するカウント値が式１により計算し決定され、ペレット補給を開始し、図９に示した適正値に達したときに、補給を停止する。
【００６４】
このような制御により、接着剤の液面ＬＳが常にほぼ一定したレベルに維持されて、均一な塗布が行われる。
【００６５】
図１０は接着剤補給の制御を行う制御系のブロック図、図１１は塗布制御のフローチャートである。
【００６６】
図１０において、画像形成装置Ａは画像形成装置Ａの制御及び製本システム全体の制御を行う画像形成装置制御部ＣＤ１、操作部ＯＰ、ネットワークを介して外部機器と通信手段ＴＭ１、画像形成部ＰＥ及び製本装置Ｂとの通信を行う通信手段ＴＭ２を有する。
【００６７】
製本装置Ｂは製本装置Ｂの制御を行う製本装置制御部ＣＤ２、接着剤量センサ６０６、接着剤の補給を検知する補給センサＦＳ、ペレットを補給する補給手段の駆動源であるモータＭＴ３及び画像形成装置Ａとの通信を行う通信手段ＴＭ３を有する。製本装置制御部ＣＤ２は図１１に示すペレットの補給制御を行う制御手段ＣＲを有する。
【００６８】
操作部ＯＰまたは外部機器からのジョブ指令に基づいて、画像形成部ＰＥにおいて用紙に画像を形成し、画像形成した用紙を製本装置Ｂに送り込み、製本装置Ｂにおいて、製本処理が行われる。
【００６９】
製本装置Ｂにおいては、製本処理により消費された接着剤を塗布装置に補給することにより、連続した製本処理が行われる。
【００７０】
図１１のＳＴＥＰ１において、接着剤が塗布される用紙束の情報を入力する。用紙束の情報として、冊子を構成する用紙の枚数、紙厚、コート紙、非コート紙等の別を示す紙種、用紙サイズ等がある。
【００７１】
ＳＴＥＰ２において、塗布装置６０が往復して、用紙束の背に接着剤が塗布される。
【００７２】
ＳＴＥＰ３において、ＳＴＥＰ２の塗布行程実施後に塗布装置６０がホームポジションに戻った段階で接着剤の液面の低下を検知し、低下が検知されないきは（ＳＴＥＰ３のＮ）終了し、低下が検知されたときは（ＳＴＥＰ３のＹ）、適正塗布量を計算する（ＳＴＥＰ４）。
【００７３】
ＳＴＥＰ４の計算はたとえば、図９に示した折れ線Ｌ２に従って行われ、制御手段ＣＲが有する記憶手段に記憶されているルックアップテーブルを参照して行われる。
【００７４】
ＳＴＥＰ５において、ペレットの補給を開始する。
【００７５】
ＳＴＥＰ６において、補給センサＦＳを出力を監視し、補給センサＦＳのカウント値が適正値に達した段階（ＳＴＥＰ６のＹ）で補給を停止する（ＳＴＥＰ７）終了する。
【００７６】
設定された部数の冊子作成が終了し製本ジョブが完了したら（ＳＴＥＰ８のＹ）、終了し、終了しない時は、ＳＴＥＰ２に戻る（ＳＴＥＰ８のＮ）。
【００７７】
図１０、１１では制御手段ＣＲが用紙束の情報を入力し、入力した情報に基づいて、ペレット補給量を決定しているが、用紙束の情報としては、前記のように、枚数、紙厚、紙種、紙サイズ等があり、制御手段ＣＲがこれらの情報から補給割合の計算に必要な情報を計算する自動補給の他に、オペレータが補給割合を直接設定することも可能である。
【００７８】
たとえば、補給割合の段階を数段階設け、オペレータが用紙束の厚さ等から適正な補給割合を選択し設定することが可能であり、オペレータの設定が用紙束の情報として制御手段ＣＲの入力される。
【００７９】
自動補給制御においては、制御手段ＣＲは画像形成装置Ａから枚数。紙厚、用紙サイズ等の情報を取得して、適正補給割合を計算するが、図２における用紙束ＳＳの厚さを検知する用紙厚センサを用紙集積部５０に設け、制御手段ＣＲが用紙厚センサの検知信号に基づいて、適正な補給割合を計算するように構成することもできる。
【００８０】
更に、前記式１に基づいた補給割合の決定は、画像形成装置制御部ＣＤ１で行っても良いし、製本装置制御部ＣＤ２で行っても良い。画像形成装置制御部ＣＤ１において補給割合の決定を行う構成では、制御手段ＣＲが画像形成装置から伝送された補給割合の情報に基づいた補給制御を行う。製本装置制御部ＣＤ２において、補給割合を決定する構成では、制御手段ＣＲは画像形成装置から伝送された用紙束の情報に基づいて、補給割合を決定して補給制御を行う。
【図面の簡単な説明】
【００８１】
【図１】液面低下検知による接着剤量の検知を示す図である。
【図２】本発明の実施の形態に係る製本装置で構成された製本システムの全体を示す図である。
【図３】接着剤の塗布工程を示す図である。
【図４】塗布装置６０の構成を示す図である。
【図５】補給装置６１の断面図である。
【図６】作動を開始する前の補給装置６１の要部を示す図である。
【図７】補給中における補給装置６１の要部を示す図である。
【図８】給装置６１における駆動系を示す図である。
【図９】用紙束ＳＳを構成する用紙Ｓ１の枚数に対して、適正な接着を行うための補給割合を示す図である。
【図１０】制御系のブロック図である。
【図１１】塗布制御のフローチャートである。
【符号の説明】
【００８２】
６０  塗布装置
６１  ペレット補給装置
６０６  接着剤量センサ
Ａ  画像形成装置
Ｂ  製本装置
ＣＤ１  画像形成装置制御部
ＣＤ２  製本装置制御部
ＣＲ  制御手段
ＦＳ  補給センサ
ＭＴ１〜ＭＴ３  モータ
ＰＴ  ペレット
【図１】
2008055674.tif 000003
【図２】
2008055674.tif 000004
【図３】
2008055674.tif 000005
【図４】
2008055674.tif 000006
【図５】
2008055674.tif 000007
【図６】
2008055674.tif 000008
【図７】
2008055674.tif 000009
【図８】
2008055674.tif 000010
【図９】
2008055674.tif 000011
【図１０】
2008055674.tif 000012
【図１１】
2008055674.tif 000013